【手続補正書】
【提出日】平成16年10月29日(2004.10.29)
【手続補正１】
【補正対象書類名】明細書
【補正対象項目名】請求項１
【補正方法】変更
【補正の内容】
【請求項１】
地図情報に含まれるランドマークおよび領域の位置を修正する地図情報修正装置であって、
少なくとも道路とランドマークと領域とに関する地図情報を格納する地図情報格納手段と、
前記地図情報に含まれるランドマークおよび領域と、前記地図情報に含まれる道路とが、道幅を付けた場合に地図の２次元平面上で重なるか否かを判定する重なり判定手段と、
前記重なり判定手段によって一つまたは複数の道路と重なると判定されたランドマークおよび領域の位置情報を、各道路の中心線に対していずれの側にあるかを保ちながら、地図の２次元平面上で道幅を付けた前記一つまたは複数の道路と重ならない位置に修正する位置情報修正手段と、
前記地図情報と、前記位置情報修正手段により修正されたランドマークおよび領域の位置情報とを格納する修正地図情報格納手段とを備えた、地図情報修正装置。
【手続補正２】
【補正対象書類名】明細書
【補正対象項目名】請求項９
【補正方法】変更
【補正の内容】
【請求項９】
地図情報に含まれるランドマークおよび領域の位置を修正する地図情報修正方法であって、
少なくとも道路とランドマークと領域とに関する地図情報を格納する地図情報格納ステップと、
前記地図情報に含まれるランドマークおよび領域と、前記地図情報に含まれる道路とが、道幅を付けた場合に地図の２次元平面上で重なるか否かを判定する重なり判定ステップと、
前記重なり判定ステップにおいて一つまたは複数の道路と重なると判定されたランドマークおよび領域の位置情報を、各道路の中心線に対していずれの側にあるかを保ちながら、地図の２次元平面上で道幅を付けた前記一つまたは複数の道路と重ならない位置に修正する位置情報修正ステップと、
前記地図情報と、前記位置情報修正ステップにおいて修正されたランドマークおよび領域の位置情報とを格納する修正地図情報格納ステップとを備えた、地図情報修正方法。
【手続補正３】
【補正対象書類名】明細書
【補正対象項目名】請求項１４
【補正方法】変更
【補正の内容】
【請求項１４】
地図情報に含まれる道路の位置を修正する地図情報修正装置であって、
少なくとも道路とランドマークと領域とに関する地図情報を格納する地図情報格納手段と、
前記地図情報に含まれるランドマークおよび領域と、前記地図情報に含まれる道路とが、道幅を付けた場合に地図の２次元平面上で重なるか否かを判定する重なり判定手段と、
前記重なり判定手段によって一つまたは複数のランドマークおよび領域と重なると判定された道路の位置情報を、ランドマークおよび領域のそれぞれが道路の中心線に対していずれの側にあるかを保ちながら、地図の２次元平面上で道幅を付けた場合に前記一つまたは複数のランドマークおよび領域と重ならない位置に修正する位置情報修正手段と、
前記地図情報と、前記位置情報修正手段により修正された道路の位置情報とを格納する修正地図情報格納手段とを備えた、地図情報修正装置。
【手続補正４】
【補正対象書類名】明細書
【補正対象項目名】請求項２１
【補正方法】変更
【補正の内容】
【請求項２１】
地図情報に含まれる道路の位置を修正する地図情報修正方法であって、
少なくとも道路とランドマークと領域とに関する地図情報を格納する地図情報格納ステップと、
前記地図情報に含まれるランドマークおよび領域と、前記地図情報に含まれる道路とが、道幅を付けた場合に地図の２次元平面上で重なるか否かを判定する重なり判定ステップと、
前記重なり判定ステップにおいて一つまたは複数のランドマークおよび領域と重なると判定された道路の位置情報を、ランドマークおよび領域のそれぞれが道路の中心線に対していずれの側にあるかを保ちながら、地図の２次元平面上で道幅を付けた場合に前記一つまたは複数のランドマークおよび領域と重ならない位置に修正する位置情報修正ステップと、
前記地図情報と、前記位置情報修正ステップにおいて修正された道路の位置情報とを格納する修正地図情報格納ステップとを備えた、地図情報修正方法。
【手続補正５】
【補正対象書類名】明細書
【補正対象項目名】０００８
【補正方法】変更
【補正の内容】
【０００８】
【課題を解決するための手段および発明の効果】
第１の発明は、地図情報に含まれるランドマークおよび領域の位置を修正する地図情報修正装置であって、
少なくとも道路とランドマークと領域とに関する地図情報を格納する地図情報格納手段と、
地図情報に含まれるランドマークおよび領域と、地図情報に含まれる道路とが、道幅を付けた場合に地図の２次元平面上で重なるか否かを判定する重なり判定手段と、
重なり判定手段によって一つまたは複数の道路と重なると判定されたランドマークおよび領域の位置情報を、各道路の中心線に対していずれの側にあるかを保ちながら、地図の２次元平面上で道幅を付けた一つまたは複数の道路と重ならない位置に修正する位置情報修正手段と、
地図情報と、位置情報修正手段により修正されたランドマークおよび領域の位置情報とを格納する修正地図情報格納手段とを備える。
【手続補正６】
【補正対象書類名】明細書
【補正対象項目名】００２４
【補正方法】変更
【補正の内容】
【００２４】
第９の発明は、地図情報に含まれるランドマークおよび領域の位置を修正する地図情報修正方法であって、
少なくとも道路とランドマークと領域とに関する地図情報を格納する地図情報格納ステップと、
地図情報に含まれるランドマークおよび領域と、地図情報に含まれる道路とが、道幅を付けた場合に地図の２次元平面上で重なるか否かを判定する重なり判定ステップと、
重なり判定ステップにおいて一つまたは複数の道路と重なると判定されたランドマークおよび領域の位置情報を、各道路の中心線に対していずれの側にあるかを保ちながら、地図の２次元平面上で道幅を付けた一つまたは複数の道路と重ならない位置に修正する位置情報修正ステップと、
地図情報と、位置情報修正ステップにおいて修正されたランドマークおよび領域の位置情報とを格納する修正地図情報格納ステップとを備える。
【手続補正７】
【補正対象書類名】明細書
【補正対象項目名】００３４
【補正方法】変更
【補正の内容】
【００３４】
第１４の発明は、地図情報に含まれる道路の位置を修正する地図情報修正装置であって、
少なくとも道路とランドマークと領域とに関する地図情報を格納する地図情報格納手段と、
地図情報に含まれるランドマークおよび領域と、地図情報に含まれる道路とが、道幅を付けた場合に地図の２次元平面上で重なるか否かを判定する重なり判定手段と、
重なり判定手段によって一つまたは複数のランドマークおよび領域と重なると判定された道路の位置情報を、ランドマークおよび領域のそれぞれが道路の中心線に対していずれの側にあるかを保ちながら、地図の２次元平面上で道幅を付けた場合に一つまたは複数のランドマークおよび領域と重ならない位置に修正する位置情報修正手段と、
地図情報と、位置情報修正手段により修正された道路の位置情報とを格納する修正地図情報格納手段とを備える。
【手続補正８】
【補正対象書類名】明細書
【補正対象項目名】００４６
【補正方法】変更
【補正の内容】
【００４６】
第２１の発明は、地図情報に含まれる道路の位置を修正する地図情報修正方法であって、
少なくとも道路とランドマークと領域とに関する地図情報を格納する地図情報格納ステップと、
地図情報に含まれるランドマークおよび領域と、地図情報に含まれる道路とが、道幅を付けた場合に地図の２次元平面上で重なるか否かを判定する重なり判定ステップと、
重なり判定ステップにおいて一つまたは複数のランドマークおよび領域と重なると判定された道路の位置情報を、ランドマークおよび領域のそれぞれが道路の中心線に対していずれの側にあるかを保ちながら、地図の２次元平面上で道幅を付けた場合に一つまたは複数のランドマークおよび領域と重ならない位置に修正する位置情報修正ステップと、
地図情報と、位置情報修正ステップにおいて修正された道路の位置情報とを格納する修正地図情報格納ステップとを備える。
【手続補正９】
【補正対象書類名】明細書
【補正対象項目名】００６２
【補正方法】変更
【補正の内容】
【００６２】
修正地図情報格納部１３は、道路網情報３０、重なり判定部１１ａから出力された道路外設置物情報３２、および、位置情報修正部１２ａから出力された道路外設置物情報３４を格納する。これらの情報により、幅付け表示用の地図情報が構成される。なお、地図情報を格納するためには、任意の記録媒体、例えば、カセットテープ、ＣＤ−ＲＯＭ、ＤＡＴ、ＤＶＤ、半導体メモリ、あるいは、ＩＣメモリ等が使用される。また、修正地図情報格納部１３は、インターネット等に接続し、遠隔地の記憶媒体にアクセスする装置であってもよい。
【手続補正１０】
【補正対象書類名】明細書
【補正対象項目名】０１１３
【補正方法】変更
【補正の内容】
【０１１３】
第２のステップでは、ランドマークをベクトルＶの方向に移動させる場合に、複数の道路との重なりを解消するために必要な移動量が算出される。移動後のランドマークの位置Ａc は、ｘ＞０を満たす媒介変数ｘを用いて、Ａc ＝Ａ＋ｘ・Ｖと表現される。位置情報修正部１２ｃは、各ベクトルＶi についてベクトルＶとのなす角度θi を求め、各ｉについて次式（７）を満たすｘi の範囲を求める。
｜ｘi ・Ｖ｜cos θi ≧  Ｌ＋Ｗi −Ｄi …（７）
【手続補正１１】
【補正対象書類名】明細書
【補正対象項目名】０１２７
【補正方法】変更
【補正の内容】
【０１２７】
以上に示すように、本実施形態によれば、道路外設置物の位置情報は、複数の道路との重なりを同時に考慮して一度の処理で修正され、すべての道路との重なりが解消されるまで繰り返し徐々に修正される。したがって、本実施形態は、第２の実施形態が有する位置情報を徐々に修正する特徴と、第３の実施形態が有する複数の道路との重なりを同時に考慮して位置情報を一度の処理で修正する特徴とを合わせ持つ。このため、本実施形態に係る地図情報修正装置により作成された地図情報を道幅を付けて画面に表示した場合、道路外設置物はいずれの道路とも重ならない位置に表示され、利用者には自然な画面が提示される。